(57)【要約】【課題】カメラを大型化することなくカメラの４面に共通の三脚アダプタを自在に取付可能なカメラの取付構造を提供すること。【解決手段】三脚アダプタ７を取り付けるための取付穴を、カメラ本体１の底面１ａ、上面１ｂ及び両側面１ｃ，１ｃ’の各取付面の隅部にそれぞれ４個設ける。各取付面において、カメラ本体１の前面側に設けた２個の取付穴２ａ（２ｂ，２ｃ，２ｃ’）の間隔とカメラ本体１の後面側に設けた２個の取付穴の間隔３ａ（３ｂ，３ｃ，３ｃ’）は、異なる２つの値Ｗ１，Ｗ２を組合せたものとする。そして、底面及１ａ及び上面１ｂに設けた取付穴（２ａ，３ａ），（２ｂ，３ｂ）の配置に対し、両側面１ｃ，１ｃ’に設けた取付穴（２ｃ，３ｃ），（２ｃ，３ｃ’）の配置を、カメラ本体１の前面側と後面側とで逆に構成する。【選択図】図１Ａ
2012053363.tif 000002
【特許請求の範囲】
【請求項１】
カメラ本体に三脚アダプタを取り付けるためのカメラの取付構造であって、
前記三脚アダプタを取り付けるための取付穴を、前記カメラ本体の底面、上面及び両側面の各取付面の隅部にそれぞれ４個設け、
各取付面において、前記カメラ本体の前面側に設けた２個の取付穴の間隔と前記カメラ本体の後面側に設けた２個の取付穴の間隔は、異なる２つの値Ｗ１，Ｗ２を組合せたものであり、
底面及び上面に設けた前記取付穴の配置に対し、両側面に設けた前記取付穴の配置を、前記カメラ本体の前面側と後面側とで逆に構成したことを特徴とするカメラの取付構造。
【発明の詳細な説明】
【技術分野】
【０００１】
本発明は、小型のカメラに三脚アダプタを自在に取り付けるためのカメラの取付構造に関するものである。
【背景技術】
【０００２】
産業用の小型カメラは三脚に取り付けて使用されることが多いが、カメラを様々な姿勢で使用可能とするために、アダプタを介して三脚に取付ける構造となっている。
カメラを正立した状態で使用する場合は、カメラ本体の底面に三脚アダプタ（以下、簡単にアダプタとも呼ぶ）を取り付けて使用することになるので、カメラ本体の底面にはアダプタを固定する取付穴が設けられている。同様にアダプタにも取付穴を設け、両者は取付ネジで固定される。また、カメラを天吊り状態で使用する場合は、カメラ本体の上面にアダプタを取り付けて使用することになるので、カメラ本体の上面にもアダプタを固定する取付穴が設けられている。このように、カメラ本体の底面と上面のいずれにもアダプタを取り付け可能な構造とすることで、カメラの設置状態の自由度が増すことになる。その際、取付穴の位置は、カメラ本体の底面及び上面の４隅に設けることで、カメラを安定に支持することができる。また、取付穴の間隔は上面と底面とで同一寸法とすることで、共通のアダプタを用いることができる。
【０００３】
一方、特許文献１には、カメラの姿勢を横位置（正立状態）と縦位置（９０度回転状態）で使用可能とするためのカメラ用三脚補助具が開示されている。その構造は、カメラの三脚用ネジ穴によりカメラを取り付け可能な保持部材と、該保持部材をカメラのレンズ軸を中心として角度回動固定可能な角度回動機構を有するものである。この場合、角度回動機構によりカメラの位置（横位置、縦位置）の変更を容易に行うことができると述べられている。
【先行技術文献】
【特許文献】
【０００４】
【特許文献１】特開２００１−２５５５８４号公報
【発明の概要】
【発明が解決しようとする課題】
【０００５】
近年小型カメラの使用環境の多様化により、カメラとアダプタとの取付けを、カメラ本体の底面と上面だけでなく、両側面でも行えるような要求がなされている。これを実現するには、カメラ本体の４面に取付穴を設けた構造が必要となってくる。
【０００６】
４面取付構造に対応するため、カメラ本体の側面にアダプタを固定する取付穴を追加する場合、取付穴が互いに干渉するという課題が生じる。すなわち、側面に設ける取付穴は底面または上面に設けた取付穴と近接して配置されるため、取付穴の穴底が互いに干渉し易くなる。その理由は、カメラ本体とアダプタとを安定に取りつけるため、取付穴の間隔を大きくして取付面の４隅に設けることが多いからである。この干渉を避けるには、取付穴の間隔をそのままとしてカメラ本体のサイズを大きくすればよいが、外形を大きくするとカメラの小型化に逆行してしまう。あるいは、取付穴の位置を変更して両側面における取付穴の間隔を狭くすると、取付面を切り換える場合に底面・上面と両側面での共通性がなくなり、２種類のアダプタを用意する必要が生じる。
【０００７】
一方特許文献１の構造は、カメラの姿勢を横位置と縦位置の間で９０度回転させることが可能であるが、取付面を底面から側面を経て上面まで変化させるためには１８０度に渡る回転幅が必要であり、これを満足する角度回動機構を実現するのは困難である。また、角度回動機構が複雑で大型化し、アダプタを含めたカメラシステムが大型化してしまう。
【０００８】
本発明は上記の課題に鑑みてなされたもので、カメラを大型化することなくカメラの４面に共通の三脚アダプタを自在に取付可能なカメラの取付構造を提供することを目的とする。
【課題を解決するための手段】
【０００９】
本発明は、カメラ本体に三脚アダプタを取り付けるためのカメラの取付構造であって、三脚アダプタを取り付けるための取付穴を、カメラ本体の底面、上面及び両側面の各取付面の隅部にそれぞれ４個設け、各取付面において、カメラ本体の前面側に設けた２個の取付穴の間隔とカメラ本体の後面側に設けた２個の取付穴の間隔は、異なる２つの値Ｗ１，Ｗ２を組合せたものであり、底面及び上面に設けた取付穴の配置に対し、両側面に設けた取付穴の配置を、カメラ本体の前面側と後面側とで逆に構成したことを特徴とする。
【発明の効果】
【００１０】
本発明によれば、カメラを大型化することなくカメラの４面に共通の三脚アダプタを自在に取付可能となる。
【図面の簡単な説明】
【００１１】
【図１Ａ】本発明によるカメラの取付構造の一実施例を示し、カメラ前方から見た斜視図。
【図１Ｂ】本発明によるカメラの取付構造の一実施例を示し、カメラ後方から見た斜視図。
【図２Ａ】カメラ本体の取付穴の断面形状を示し、フロントフレーム２の断面図。
【図２Ｂ】カメラ本体の取付穴の断面形状を示し、リアフレーム３の断面図
【図３Ａ】三脚アダプタ７の構造の一例を示し、三脚取付側から見た斜視図。
【図３Ｂ】三脚アダプタ７の構造の一例を示し、カメラ本体側から見た斜視図。
【図４】カメラ本体と三脚アダプタ７の取付方法を示す図。
【発明を実施するための形態】
【００１２】
以下、本発明の実施の形態について図面を参照して説明する。
図１Ａと図１Ｂは、本発明によるカメラの取付構造の一実施例を示し、図１Ａはカメラ前方（及び上面側）から見た斜視図、図１Ｂはカメラ後方（及び底面側）から見た斜視図である。
【００１３】
カメラの本体部（以下、カメラ本体）１は、フロントフレーム２とリアフレーム３を筐体とし、これに電子部品を収納してカバー４にて保護し、撮像用のレンズ５や信号ケーブル接続用のコネクタ６などを取り付けた外部構造となっている。そして、カメラ本体１の周囲には、後述する三脚アダプタ７を取り付けるため複数の取付穴を設けている。本実施例では、三脚アダプタ７の取付面として、カメラ本体１の底面１ａ、上面１ｂだけでなく、側面１ｃにも取付可能とし、各取付面の隅部にそれぞれ４個の取付穴（ネジ穴）を設けている。すなわち、三脚アダプタ７を底面１ａに取り付けるための取付穴２ａ，３ａと、上面１ｂに取り付けるための取付穴２ｂ，３ｂと、側面１ｃに取り付けるための取付穴２ｃ，３ｃを形成している。これらの取付穴のうち、前面側（レンズ５側）の取付穴２ａ，２ｂ，２ｃはフロントフレーム２内に、また後面側（コネクタ６側）の取付穴３ａ，３ｂ，３ｃはリアフレーム３内に形成している。なお、図では示していないが、側面１ｃの反対側の側面１ｃ’にも同様に取付穴２ｃ’，３ｃ’を形成しているが、以下の説明では省略する。
【００１４】
図２Ａと図２Ｂは、カメラ本体の取付穴の断面形状を示し、図２Ａは前面側（フロントフレーム２）に形成する取付穴の断面図で、図２Ｂは後面側（リアフレーム３）に形成する取付穴の断面図である。
【００１５】
本実施例では、各取付面における取付穴の間隔が前面側と後面側とで異なる２つの値を組合せたものとした。さらに、取付面（底面・上面と側面）の位置によって、前面側と後面側における取付穴の配置が逆に構成されるようにした。具体的には、底面１ａと上面１ｂに形成する取付穴の間隔は、前面側（２ａ，２ｂ）では幅広サイズＷ１に、後面側（３ａ，３ｂ）では幅狭サイズＷ２としている。一方側面１ｃに形成する取付穴の間隔は、前面側（２ｃ，２ｃ’）では幅狭サイズＷ２に、後面側（３ｃ，３ｃ’）では幅広サイズＷ１として、取付穴の配置を逆に構成している。
【００１６】
この結果、各取付面における４個の取付穴の配置は、どの取付面においても２辺がＷ１とＷ２の長さを持つ台形の頂点位置となるので、共通の三脚アダプタを使用することができる。また、前面側あるいは後面側の断面における取付穴の間隔は、底面と側面、あるいは上面と側面の一方が幅狭Ｗ２になるので、フロントフレーム２内やリアフレーム３内で近接する取付穴、例えば２ａと２ｃ、３ａと３ｃとが干渉することを回避できる。そして、取付穴の間隔の一方を幅狭Ｗ２とすることで、カメラ本体が大型化することを回避できる。
【００１７】
本実施例では、底面１ａと上面１ｂに形成する取付穴の間隔を、前面側（２ａ，２ｂ）では幅広サイズＷ１に、後面側（３ａ，３ｂ）では幅狭サイズＷ２としたが、逆に、前面側（２ａ，２ｂ）で幅狭サイズＷ２に、後面側（３ａ，３ｂ）で幅広サイズＷ１としても良いことは言うまでもない。
【００１８】
図３Ａと図３Ｂは、三脚アダプタ７の構造の一例を示し、図３Ａは三脚取付側から見た斜視図、図３Ｂはカメラ本体側から見た斜視図である。
三脚アダプタ７には、カメラ本体１を取り付けるための４個の取付穴８ｆ，８ｇを設けている。これらの取付穴８ｆ，８ｇに取付ネジ９を挿入して、前記カメラ本体１に設けた取付穴２ａ〜２ｃ、３ａ〜３ｃにネジ固定する。また三脚アダプタ７の中央には、図示しない三脚を取り付ける三脚取付穴１０を有する。
【００１９】
三脚アダプタ７に設ける取付穴８ｆ，８ｇの間隔は、カメラ本体１に設けた取付穴２ａ〜２ｃ、３ａ〜３ｃの間隔に等しくする。すなわち、一対の取付穴８ｆについては幅広サイズＷ１に等しく、他の一対の取付穴８ｇについては幅狭サイズＷ２に等しく形成する。これにより、１つの三脚アダプタ７でカメラ本体１のいずれの取付面にも取り付けることが可能になる。
【００２０】
図４は、カメラ本体と三脚アダプタ７の取付方法を示す図である。カメラ本体１の取付面として、底面１ａ、上面１ｂ、側面１ｃ、側面１ｃ’の４面に共通の三脚アダプタ７を取り付ける場合を示す（図では、上面１ｂと側面１ｃ’はカメラ本体１の裏側に位置する）。底面１ａと上面１ｂに取り付けるときの三脚アダプタ７の姿勢を、それぞれ７ａと７ｂで示す。また、側面１ｃと側面１ｃ’に取り付けるときの三脚アダプタ７の姿勢を、それぞれ７ｃと７ｃ’で示す。カメラ本体１の底面１ａや上面１ｂに設けた取付穴の間隔Ｗ１，Ｗ２に対し、側面１ｃと側面１ｃ’に設けた取付穴の間隔は前面側と後面側で逆に構成されている。よって、三脚アダプタ７を側面１ｃ，１ｃ’に取り付ける場合は、三脚アダプタ７の前後方向を逆転させればよい。このようにして、カメラ本体の周囲の４面に共通の三脚アダプタ７を自在に取り付けることができる。
【符号の説明】
【００２１】
１…カメラ本体、
１ａ…底面、
１ｂ…上面、
１ｃ，１ｃ’…側面、
２…フロントフレーム、
２ａ，２ｂ，２ｃ，２ｃ’…取付穴、
３…リアフレーム、
３ａ，３ｂ，３ｃ，３ｃ’…取付穴、
４…カバー、
５…レンズ、
６…コネクタ、
７…三脚アダプタ、
８，８ｆ，８ｇ…取付穴、
９…取付ネジ、
１０…三脚取付穴。
【図１Ａ】
2012053363.tif 000003
【図１Ｂ】
2012053363.tif 000004
【図２Ａ】
2012053363.tif 000005
【図２Ｂ】
2012053363.tif 000006
【図３Ａ】
2012053363.tif 000007
【図３Ｂ】
2012053363.tif 000008
【図４】
2012053363.tif 000009